(57)【要約】  個人健康記録を収集し、管理する能力をユーザに提供する方法は、患者監視デバイスから、ネットワークを介して、ユーザに関連する監視データを受信するステップを有する。方法は、更に、監視データから個人健康記録を生成するステップと、サーバにおいて、個人健康記録をコンピュータ読取可能媒体に保存するステップと、ユーザに関連付けられたユーザアカウントによって、インターネットを介して、個人健康記録へのアクセスをユーザに提供するステップと、ユーザアカウントに関連し、健康管理サービス提供業者による個人健康記録へのアクセスをユーザが選択的に許可するユーザインタフェースを提供するステップとを有する。【選択図】  図１
2015507282.tif 000002
【特許請求の範囲】
【請求項１】
個人健康記録を収集し、管理する能力をユーザに提供する方法において、
患者監視デバイスから、ネットワークを介して、前記ユーザに関連する監視データを受信するステップと、
前記監視データから個人健康記録を生成するステップと、
サーバにおいて、コンピュータ読取可能媒体に前記個人健康記録を保存するステップと、
前記ユーザに関連付けられたユーザアカウントによって、インターネットを介して、前記個人健康記録へのアクセスを前記ユーザに提供するステップと、
前記ユーザアカウントに関連し、健康管理サービス提供業者による前記個人健康記録に前記ユーザが選択的にアクセスできるようにするユーザインタフェースを提供するステップと、
を有する方法。
【請求項２】
前記患者監視デバイスは、医療デバイスゲートウェイと動作的に通信する請求項１記載の方法。
【請求項３】
前記個人健康記録は、前記ユーザアカウントに関連付けられたフォルダ内に格納される請求項１記載の方法。
【請求項４】
前記ユーザアカウントには、アカウント識別子及び第１のパスワードが関連付けられている請求項３記載の方法。
【請求項５】
前記フォルダは、前記健康管理サービス提供業者が前記ユーザアカウントへの第２のパスワードによって前記ユーザアカウントにアクセスすることによって利用される請求項４記載の方法。
【請求項６】
前記第２のパスワードは、緊急パスワードである請求項５記載の方法。
【請求項７】
前記フォルダは、遠隔医療フォルダである請求項５記載の方法。
【請求項８】
前記個人健康記録の存在を前記ユーザに通知するステップを更に有する請求項１記載の方法。
【請求項９】
前記監視データは、音声データを含む請求項１記載の方法。
【請求項１０】
前記監視データは、ビデオデータを含む請求項１記載の方法。
【請求項１１】
個人健康記録を収集し、管理する能力をユーザに提供する方法において、
患者監視デバイスから、ネットワークを介して、前記ユーザに関連する監視データを受信するステップと、
前記監視データから個人健康記録を生成するステップと、
サーバにおいて、前記個人健康記録をコンピュータ読取可能媒体に保存するステップと、
前記ユーザに関連付けられたユーザアカウントによって、インターネットを介して、前記個人健康記録へのアクセスを前記ユーザに提供するステップと、
前記ユーザアカウントに関連付けられたウェブベースのユーザインタフェースを提供するステップとを有し、前記ユーザアカウントに関連付けられたウェブベースのユーザインタフェースは、（ａ）前記個人健康記録へのアクセス、（ｂ）前記ユーザに関連付けられた健康管理サービス提供業者から前記ユーザアカウントへの追加的健康記録の受信、（ｃ）前記ユーザに関連付けられた健康管理サービス提供業者からユーザアカウントに送られた追加的健康記録へのアクセス、及び（ｄ）前記健康管理サービス提供業者への前記個人健康記録及び前記追加的健康記録の１つ以上の送信を提供する方法。
【請求項１２】
前記健康監視デバイスは、医療デバイスゲートウェイと動作的に通信する請求項１１記載の方法。
【請求項１３】
前記個人健康記録は、前記ユーザアカウントに関連付けられたフォルダ内に格納される請求項１１記載の方法。
【請求項１４】
前記ユーザアカウントには、アカウント識別子及び第１のパスワードが関連付けられている請求項１３記載の方法。
【請求項１５】
前記フォルダは、前記健康管理サービス提供業者が前記ユーザアカウントへの第２のパスワードによって前記ユーザアカウントにアクセスすることによって利用される請求項１４記載の方法。
【請求項１６】
前記第２のパスワードは、緊急パスワードである請求項１５記載の方法。
【請求項１７】
前記フォルダは、遠隔医療フォルダである請求項１５記載の方法。
【請求項１８】
前記個人健康記録の存在を前記ユーザに通知するステップを更に有する請求項１１記載の方法。
【請求項１９】
前記監視データは、音声データを含む請求項１１記載の方法。
【請求項２０】
前記監視データは、ビデオデータを含む請求項１１記載の方法。
【発明の詳細な説明】
【技術分野】
【０００１】
本出願は、２０１２年２月２０日に出願された米国仮出願番号第６１／６００，８７１号、「Method and System for Managing Personal Health Records with Telemedicine and Health Monitoring Device Features」及び２０１２年１月９日に出願された米国仮出願番号第６１／５８４，６０８号、「Method and System for Managing Health Record with Telemedicine and Health Monitoring Device Features」の優先権を主張し、これらの文献の全体は、引用によって本願に援用される。
【０００２】
本発明は、例えば、個人健康記録（personal health records）等のオンライン記録の収集、保存及び／又は管理に関する。具体的には、本発明は、以下に限定されるわけではないが、医療デバイス及び遠隔医療に関連する記録を収集及び管理する手段のユーザへの提供に関する。
【背景技術】
【０００３】
様々な医療用又は個人健康監視デバイスを用いて個人の健康状態を監視することができる。このようなデバイスにおける課題の１つは、デバイスによって取得されたデータの収集である。幾つかの場合、健康管理サービス提供業者（health care provider）は、デバイスを患者に貸与する。医療デバイスは、データを記録し、保存する。そして、デバイスが健康管理サービス提供業者に返却され、デバイスに保存されているデータが分析される。このような手法では、健康管理サービス提供業者に頻繁に訪問を繰り返す必要があり、不便である。更に、デバイスがデータを取得してから、健康管理サービス提供業者がデータを分析するまでに長い時間がかかる場合もある。この遅延の結果、診断が遅れ、患者の治療が遅れ、患者の症状が悪化することもある。
【０００４】
これに代わる手法は、コンピュータに接続されるデバイスを含み、デバイスは、データをダウンロードでき、及び健康管理サービス提供業者に送信でき、又はデバイスによって記録されたデータの主要な部分を電話で連絡してもよく、他の手法で通信してもよい。このような方法でも、データの通信が遅れ、又は取得された全てのデータのうちの一部だけしか通信されないために、患者の診断又は治療が遅れる等の影響が生じることがある。更に、これらの手法は、患者又は介護者が作業に参加する必要があり、したがって、不便であり及び／又は信頼度が低いものである。
【０００５】
このような手法によって、健康管理サービス提供業者がこのようなデバイスからの完全なデータを収集できたとしても、患者は、データの利益を十分に享受することはできないことがある。このデータは、患者の他の健康管理サービス提供業者と共有することが容易でないことがあり、又はデータを共有するために時間がかかることがある。
【０００６】
更に、個人が自ら購入し、自らの健康に関連するデータを収集するために使用できる個人健康監視デバイスの数も増加している。健康管理サービス提供業者がこのようなデータをレビューし、診断、治療又は予防処置を補助することができれば、個人にとっても有益である。しかしながら、このような作業は、個人にとっても、健康管理サービス提供業者にとっても煩雑である。このように、課題が残されている。
【０００７】
多くの医療及び健康監視デバイスが市販され、利用されることに伴って、このような課題も大きくなっている。これらのタイプの記録を収集し、保存し、管理する手法の実現が望まれている。
【発明の概要】
【発明が解決しようとする課題】
【０００８】
したがって、本発明の主要な目的、特徴又は利点は、現在の技術を向上させることである。
【０００９】
本発明の更なる目的、特徴又は利点は、医療デバイス又は個人健康監視デバイスによって取得されたデータから個人健康記録（personal health records）を生成することである。
【００１０】
本発明の更なる目的、特徴又は利点は、個人が制御するシステム内の医療デバイス又は個人健康監視デバイスによって取得されたデータを含む個人健康記録を保存することである。
【００１１】
本発明の更に他の目的、特徴又は利点は、１つ以上の医療又は健康監視デバイスからのデータを含む個人健康管理記録をユーザが１つ以上のサービスプロバイダと共有することができるシステムを提供することである。
【００１２】
本発明の更なる目的、特徴又は利点は、健康管理担当者が医療記録のプライバシに関するＨＩＰＡＡ（医療保険の相互運用性と説明責任に関する法律：Health Insurance Portability and Accountability Act）又は他の法令の要求を遵守することを補助することである。
【００１３】
本発明の更なる目的、特徴又は利点は、個人の健康管理記録に個人が有意にアクセスできるようにし、これによって、個人が自らの医療記録へのアクセスの制御に関する法的権利を行使することができるようにすることである。
【００１４】
本発明の他の更なる目的、特徴又は利点は、緊急事態の発生時に、個人が健康管理記録に速やかにアクセスでき、適切な処置を提供することを補助することである。
【００１５】
本発明の更なる目的、特徴又は利点は、健康管理サービス提供業者が健康管理記録のプライバシに関する法令を遵守するための便利で費用効率が高い方法を提供することである。
【００１６】
本発明の更なる目的、特徴又は利点は、個人が健康管理サービス提供業者に対して医療記録のコピーの提供を求めるための便利で費用効率が高い方法を提供することである。
【００１７】
本発明の他の目的、特徴又は利点は、健康管理担当者と患者との間のプライベート通信リンクを提供することである。
【００１８】
本発明の他の更なる目的、特徴又は利点は、個人が医療記録を制御し、他者によるアクセスを選択的に制限できるようにすることである。
【００１９】
本発明の他の更なる目的、特徴又は利点は、個人又は家族の医療記録及び関連情報を単一の場所に保存し、必要に応じて、健康管理担当者に所与の完全な医療情報／履歴を提供し、及び医療記録を分析できるようにすることである。
【００２０】
本発明の他の目的、特徴又は利点は、処方薬を補充する必要性を個人に思い出させるカレンダを生成する手段を提供することである。
【００２１】
本発明の他の目的、特徴又は利点は、ビデオ会議による診察を含む医師の診察の予定を個人に示すカレンダを作成する手段を提供することである。
【００２２】
本発明の更なる目的、特徴又は利点は、処方薬の補充の必要性又は予約された医師の診察に関するリマインダメッセージを提供することである。
【００２３】
本発明の他の更なる目的、特徴又は利点は、医療記録を保存し、組織化し、注釈を付し、及び自らの記録が格納されたフォルダにユーザが名称を与えることができるようにすることによって、保存をカスタマイズする方法を提供することである。
【００２４】
本発明の他の目的、特徴又は利点は、Ｘ線又はスキャン等の画像をアップロードする能力をユーザに提供することである。
【００２５】
本発明の更なる目的、特徴又は利点は、複数のファイルを同時にアップロードすることである。
【００２６】
本発明の他の目的、特徴又は利点は、ファックスによって健康管理サービス提供業者に記録を送信する能力をユーザに提供することである。
【００２７】
本発明の他の目的、特徴又は利点は、記録を電子的に健康管理サービス提供業者に送信する能力をユーザに提供することである。
【００２８】
本発明の更なる目的、特徴又は利点は、処方薬間に何らかの相互作用が生じることがあるかを確認する能力をユーザに提供することである。
【００２９】
本発明の更なる目的、特徴又は利点は、医療記録だけではなく、他のタイプの健康記録、例えば歯の治療記録、ペットに関する健康管理記録、及び以下に限定されるものではないが、遺言書、リビングウィル、委任状、健康管理委任状を含む重要な書類等を保存し、これらにアクセスする手段を個人に提供することである。
【００３０】
本発明の他の更なる目的、特徴又は利点は、健康管理サービス提供業者が個人に関連する記録を、速やかに、容易に、且つ安全に個人に通信できるようにすることである。
【００３１】
本発明の他の目的、特徴又は利点は、医療用監視デバイスが取得した又は遠隔医療セッションからのビデオ画像を個人健康記録に保存することである。
【００３２】
本発明の他の目的、特徴又は利点は、健康データが統合されたポータルへのアクセスを提供することである。
【００３３】
本発明のこれらの及び／又はこの他の１つ以上の目的、特徴又は利点は、以下の説明及び特許請求の範囲から明らかになる。
【課題を解決するための手段】
【００３４】
本発明の一側面として、個人健康記録を収集し、管理する能力をユーザに提供する方法は、患者監視デバイスから、ネットワークを介して、ユーザに関連する監視データを受信するステップを有する。方法は、更に、監視データから個人健康記録を生成するステップと、サーバにおいて、コンピュータ読取可能媒体に個人健康記録を保存するステップと、ユーザに関連付けられたユーザアカウントによって、インターネットを介して、個人健康記録へのアクセスをユーザに提供するステップと、ユーザアカウントに関連し、健康管理サービス提供業者による個人健康記録へのアクセスをユーザが選択的に許可するユーザインタフェースを提供するステップとを有する。
【００３５】
本発明の他の側面として、個人健康記録を収集し、管理する能力をユーザに提供する個人健康記録管理システムを提供する。システムは、インターネットに動作的に接続されたサーバを備え、サーバは、（ａ）患者監視デバイスから、ネットワークを介して、ユーザに関連する監視データを受信し、（ｂ）監視データから個人健康記録を生成し、（ｃ）サーバにおいて、個人健康記録をコンピュータ読取可能媒体に保存し、（ｄ）ユーザに関連付けられたユーザアカウントによって、インターネットを介して、個人健康記録へのアクセスをユーザに提供し、（ｄ）ユーザアカウントに関連し、健康管理サービス提供業者による個人健康記録へのアクセスをユーザが選択的に許可するユーザインタフェースを提供する。
【００３６】
本発明の他の側面として、個人健康記録を収集し、管理する能力をユーザに提供する方法を提供する。方法は、患者監視デバイスから、ネットワークを介して、ユーザに関連する監視データを受信するステップと、監視データから個人健康記録を生成するステップと、サーバにおいて、コンピュータ読取可能媒体に個人健康記録を保存するステップとを有する。方法は、更に、ユーザに関連付けられたユーザアカウントによって、インターネットを介して、個人健康記録へのアクセスをユーザに提供するステップを有する。方法は、更に、ユーザアカウントに関連付けられたウェブベースのユーザインタフェースを提供するステップを有し、ユーザアカウントに関連付けられたウェブベースのユーザインタフェースは、（ａ）個人健康記録へのアクセス、（ｂ）ユーザに関連付けられた健康管理サービス提供業者からユーザアカウントへの追加的健康記録の受信、（ｃ）ユーザに関連付けられた健康管理サービス提供業者からユーザアカウントに送られた追加的健康記録へのアクセス、及び（ｄ）健康管理サービス提供業者への個人健康記録及び追加的健康記録の１つ以上の送信を提供する。健康監視デバイスは、医療デバイスゲートウェイと動作的に通信してもよい。個人健康記録は、ユーザアカウントに関連付けられたフォルダ内に格納してもよい。ユーザアカウントには、アカウント識別子及び第１のパスワードを関連付けてもよい。フォルダは、健康管理サービス提供業者がユーザアカウントへの第２のパスワードによってユーザアカウントにアクセスすることによって利用できるようにしてもよい。
【００３７】
第２のパスワードは、緊急パスワードであってもよい。フォルダは、遠隔医療フォルダであってもよい。方法は、個人健康記録の存在をユーザに通知するステップを更に有していてもよい。監視データは、音声データ及び／又はビデオデータを含んでいてもよい。
【図面の簡単な説明】
【００３８】
【図１】本発明のシステムの一実施形態を示す図である。
【図２】本発明の一実施形態に基づく、ユーザアカウントへの記録の送信を許可するステッカーを示す図である。
【図３Ａ】本発明の一実施形態に基づく、医療記録アクセス情報が記載されたカードを示す図である。
【図３Ｂ】本発明の一実施形態に基づく、医療記録アクセス情報が記載されたカードを示す図である。
【図４】本発明のシステムの一実施形態を示す図である。
【図５Ａ】本発明の一実施形態に基づく登録処理を示すフローチャートである。
【図５Ｂ】本発明の一実施形態に基づく登録処理を示すフローチャートである。
【図６】本発明の一実施形態に基づく記録にアクセスする処理を示すフローチャートである。
【図７】本発明の一実施形態に基づくウェブサイトの画面を示す図である。
【図８】本発明の一実施形態に基づくウェブサイトの他の画面を示す図である。
【図９】一実施形態に基づく画面を示す図である。
【図１０】他の実施形態に基づくフォルダ管理のための画面を示す図である。
【図１１】本発明の他の実施形態に基づくファイルアップロード機能のための画面を示す図である。
【図１２】医療記録をファックス送信する指示を示すステッカーの好ましい実施形態を示す図である。
【図１３】本発明に基づいて使用されるウォレットカードの好ましい実施形態を示す図である。
【図１４】本発明に基づいて使用されるウォレットカードの好ましい実施形態を示す図である。
【図１５】本発明の薬物相互作用報告及び分析の一実施形態を示す図である。
【図１６】画面の一実施形態を示す図である。
【図１７】ユーザが緊急パスワードを設定する画面の一実施形態を示す図である。
【図１８】緊急パスワードを使用して情報にアクセスされたとき、どのフォルダを表示するかをユーザが選択する画面の一具体例を示す図である。
【図１９】医療履歴アイテムを表示する画面の一実施形態を示す図である。
【図２０】医療履歴アイテムを表示し、及び緊急時にどのアイテムを表示するかを示す画面の一実施形態を示す図である。
【図２１】緊急ログインボタンを含むウェブサイトに関連する画面を示す図である。
【図２２】緊急ログインが行われた場合の基本的連絡先情報を集めた画面を示す図である。
【図２３】緊急時に提供される重要情報及び記録を示す画面を示す図である。
【図２４】緊急時に提供される重要情報及び記録を示す他の画面を示す図である。
【図２５】アクセス可能な処方箋情報を示す画面を示す図である。
【図２６】ユーザがユーザの写真を提供できる画面の一部を示す図である。
【図２７】監視データ又はビデオ会議から個人健康記録を生成するシステムの他の具体例を示す図である。
【図２８】個人健康記録を生成するシステムの他の具体例を示す図である。
【図２９】方法の一具体例を示す図である。
【発明を実施するための形態】
【００３９】
本発明は、個人が個人的な医療情報を収集、保存及び管理し、並びに個人と健康管理サービス提供業者との間のプライベート通信を提供するための便利な方法を提供する。本発明では、これらの記録は、様々な異なる情報源に由来すると想定する。例えば、記録は、健康管理サービス提供業者（health care provider）から提供されることがある。健康管理サービス提供業者から記録が提供される場合、本発明では、健康管理サービス提供業者からファックスによって書面の記録が送られていることも想定する。また、健康管理サービス提供業者から、ネットワーク等を介して、電子記録が直接的に通信されることもある。また、本発明によれば、患者監視デバイスから直接的に又は遠隔医療セッションから個人健康記録を生成することができる。
【００４０】
図１は、本発明のシステム１００の一実施形態を示している。図１には、ユーザ又は患者１０２が示されている。また、健康管理サービス提供業者（healthcare provider）１０４及びファックス／音声サーバ１０６も示されている。ファックス／音声サーバ１０６は、ウェブサーバ１０８に動作的に接続されている。健康管理サービス提供業者１０４は、電話機１１０を用いて、ファックス／音声サーバ１０６への電話番号を介して、プライベート音声メールメッセージを通信する。電話番号は、フリーダイヤル（toll-free number）又はＤＩＤ番号であってもよい。更に、健康管理サービス提供業者は、フリーダイヤル専用電話番号を用いて、ファックス／音声サーバ１０６に健康又は医療記録１１２をファックス送信する。医療記録１１２（又は医療記録が含まれるフォルダ）上には、ステッカー１１４を貼付することが好ましい。ステッカー１１４は、健康管理サービス提供業者１０４又はそのスタッフに対し、フリーダイヤル専用電話番号に情報をファックス送信し、又は宛先アドレスに情報を送信することを指示又は要求する。更に、患者１０２が健康管理サービス提供業者１０４に対し、このような情報を送信することを明確に同意していることを示している。これによって、ユーザ又は患者１０２が健康管理サービス提供業者１０４に対し、健康記録を送信するよう指示するプロセスが簡単になり、健康管理サービス提供業者１０４が健康管理記録のための要求を満たす許可を得るプロセスが簡単になり、健康管理サービス提供業者１０４が安全且つ便利な手法でこのような送信を行うプロセスが簡単になる。また、この許可は、他の手法で行ってもよい。
【００４１】
ウェブサーバ１０８は、ネットワークを介して又は他の手法によって、ファックス／音声サーバ１０６に動作的に接続されている。患者１０２又はその代理人は、演算デバイス１０９（以下に限定されるものではないが、コンピュータ、タブレット、スマートフォン、又は他のインターネット対応機器）を介して、ウェブサーバ１０８と直接的に通信でき、又は電話機１１７を用いて、ファックス／音声サーバ１０６を介して、ウェブサーバ１０８と通信できる。患者１０２は、アクセス情報を含むライフライン（LIFELINE）カード１１６を用いて、本発明のウェブサイトに関連するウェブサーバ１０８にログインすることができ、また、ライフラインカード１１６は、音声メールメッセージにアクセスするために電話をかけ、テキスト−音声変換された電子メールを音声として再生し、又は他の手法で情報にアクセスするためのフリーダイヤル専用電話番号の備忘録として用いることができる。
【００４２】
また、本発明によって、患者１０２は、演算デバイス１０９を用いて、ウェブサーバ１０８にファイルをアップロードすることができる。同時に複数のファイルをアップロードすることもできる。ファイルは、何らかの形式のファックス又は画像フォーマットであってもよく、又は他のタイプの幾つのフォーマットであってもよい。更に、患者１０２は、演算デバイス１０９を用いて、ウェブサーバ１０８とインタラクトし、ファックス／音声サーバ１０６を介して、健康管理サービス提供業者１０４に処方箋又は個人健康記録をファックス送信することを指定でき、又は他の電子的な通信を行うことができる。
【００４３】
更に、このシステムによって、電子健康記録１０７をウェブサーバ１０８に送信することができる。したがって、例えば、健康管理サービス提供業者は、電子健康記録をシステムに直接的に送信することができる。
【００４４】
図１に示すように、患者監視デバイス１１１からの監視データを収集し、管理することができる。患者監視デバイス１１１からのデータは、例えば、アルカテルルーセント社（Alcatel-Lucent）のｎｇ接続プログラム（ng Connect Program）に関連付けられている医療デバイスゲートウェイ１１３に送信することができる。患者監視デバイス１１１は、ブルートゥース、Ｗｉ−Ｆｉ、又は他のタイプの無線通信を使用して、無線によって、医療デバイスゲートウェイ１１３と通信してもよい。医療デバイスゲートウェイ１１３は、インターネット等のネットワークを介して、サーバ１０８と通信してもよい。サーバ１０８は、ユーザアカウントを定義し、ユーザアカウントには、監視データが関連付けられる。更に、サーバ１０８は、監視データから個人健康記録を生成し、この結果として得られる個人健康記録を保存し、ユーザアカウントによってアクセスできるようにする。
【００４５】
ここでは、医療デバイスゲートウェイ１１３を示しているが、本発明では、患者監視デバイス１１１は、医療デバイスゲートウェイを使用することなく、コンピュータネットワークを介して、直接的にサーバ１０８と通信を行ってもよい。
【００４６】
更に、ウェブサーバ１０８は、データポータル１０１と動作的に通信してもよい。これによって、データポータル１０１を介して、追加的データを受信することができる。例えば、４Ｍｅｄｉｃａ社（カリフォルニア州カルバーシティー）から入手可能なサービスによって、異種のサービス又はソースからのデータを収集及び統合してもよい。このデータは、検査結果、処方箋情報、臨床的データ又は他のタイプのデータを含むことができる。データポータル１０１は、データにアクセスするための更なる手段を提供する。図２は、患者が健康管理サービス提供業者に対して、患者に関連付けられたフリーダイヤル専用電話番号に医療記録をファックス送信するように要求又は指示するためのステッカー１１４の一実施形態を示している。健康管理サービス提供業者のオフィスにおいて、患者ファイル（patient file）に永久又は半永久的に貼付できることによる利便性からステッカー１１４を用いることが好ましいが、本発明では、他のタイプの文書を用いてもよい。ステッカー１１４は、患者に関連付けられたフリーダイヤル専用電話番号であるライフライン電話番号１２０を含む。なお、個人識別（personal identification number：ＰＩＮ）番号は不要であり、これによって、文書のファックス送信が大幅に簡略化される。更に患者の氏名１２２も示されている。また、ステッカー１１４上には、健康管理サービス提供業者に対して、記録をファックス送信するように指示し、及び健康管理記録をファックス送信する許可を明文化した依頼文（written request）１２４が示されている。依頼文１２４の形式は、準拠法に従い、必要に応じて異なる。なお、ステッカー１１４は、健康管理サービス提供業者に対して医療記録へのアクセスを指示することを望む個人に利便性を提供すると共に、医療記録へのアクセスを個人に容易に提供できるようになるので、健康管理サービス提供業者にも利便性を提供する。また、本発明では、ステッカー１１４に医療的な注意喚起情報を記載してもよい。医療的な注意喚起情報は、以下に限定されるわけではないが、血液型情報（ＡＢＯ式及びＲｈ式情報）、薬物へのアレルギー、ペースメーカーの存在、糖尿病、てんかん又は他の症状を含む。
【００４７】
図１２は、このようなステッカーの他の実施形態を示している。なお、図１２は、ステッカー８００を示している。ステッカー８００は、医療記録をファックス送信又はメール送信する指示８０２を含み、これは、保護された健康情報（protected health information：ＰＨＩ）のコピーを取得し、及びこのような通信を別の場所の患者に送信する４５Ｃ．Ｆ．Ｒ（連邦規則集第４５巻）§１６４．５２２及び４５Ｃ．Ｆ．Ｒ§１６４．５２４（ＨＩＰＡＡ（Health Insurance Portability and Accountability Act）プライバシ規則）に基づく患者の権利を実現する役割を果たす。具体的には、指示８０２は、健康管理サービス提供業者に対し、各診察の後及び／又はＰＨＩが更新される都度、フリーダイヤル又はローカル番号における個人的なプライベートメールボックスにＰＨＩのコピーをファックス送信するよう指示し、これによって、患者は、自らのＰＨＩのコピーを維持することができる。これに代えて、指示８０２は、健康管理サービス提供業者に対し、特定の電子メールアドレス８１０に記録をメール送信することを指示するものであってもよい。
【００４８】
ステッカー８００は、患者が自らの氏名を印刷又はタイプする領域８０４と、患者が自らの生年月日を印刷又はタイプする領域８０６とを含む。また、領域８０８には、医療記録の宛先であるファックス番号が記載される。この番号は、好ましくは、患者に割り当てられたフリーダイヤルファックス番号又はローカル番号である。また、領域８１０には、医療記録の送信先となる電子メールアドレスが記載される。
【００４９】
図３Ａ及び図３Ｂは、ライフラインカード１１６の一実施形態を示している。ライフラインカードは、表面１３０及び反対側の裏面１３２を有する。カード１１６は、個人の氏名１２２及び個人のために医療記録を保存するウェブサイトのＵＲＬ１３６を含む。更に、ユーザ名及びパスワード等のアクセス情報１３４が記載されている。また、カード１１６には、個人に関連付けられたフリーダイヤル専用電話番号１２０が記載されている。図３Ｂに最善の例を示すカード１１６の裏面１３２には、医療的な注意喚起情報１３９が記載されている。医療的な注意喚起情報１３９は、個人が有するアレルギー、糖尿病又はてんかん等の医学的症状、ペースメーカーの存在、又は医療的な緊急事態において個人を診断又は治療する際に重要度が高い他の医療情報を含むことができる。医療的な注意喚起情報は、更に、血液型情報（すなわち、ＡＢＯ式及びＲｈ式情報）を含むことができる。また、カード１１６上には、医療記録又は個人に関する情報にアクセスする方法を示す指示１３８が記載されている。
【００５０】
本発明では、個人又は家族がサービスに加入し又は申込みを行った際に引き渡される導入キット（welcome kit）にステッカー１１４（又は他の許可／要求文書）及びライフラインカード１１６を含ませる。更に、サービスに関連するウェブサイトから追加的なステッカー及び／又は追加的なカードを印刷でき、必要に応じて情報を更新することができることが好ましい。ステッカー及び／又はカードは、データベースの情報からのユーザ情報（氏名、ライフライン番号、アレルギー等）を用いて準備してもよい。
【００５１】
図１３及び図１４は、本発明のウォレットカード（wallet card：折りたたみ式カード）の他の実施形態を示している。ウォレットカード８２０は、第１の面８２２及び反対の第２の面８２４を有する。図１３に示すように、ウォレットカード８２０の第１の面８２２は、第１のパネル８２６及び第２のパネル８２８を有する。第１のパネル８２６は、個人に関する識別情報及び緊急指示８３０を含む。緊急指示８３０は、緊急時には、ウェブサイトにおける保護された健康情報にアクセスできることを示している。ウォレットカード８２０の第１の面８２２の第２のパネル８２８は、患者の保険情報及び署名を含む。
【００５２】
図１４に最善の例を示すウォレットカード８２０の第２の面８２４は、秘密の質問又はパスコードを含む緊急時の連絡先情報を含み、これにより、緊急時の連絡先は、緊急事態が発生しており、通知が詐欺等ではないことを確認することができる。また、ウォレットカード８２０の第２の面８２４は、現在の薬物治療、アレルギー、血液型、及び適切な救急治療を行うために重要な場合がある医学的状態に関する情報を含むことが好ましい。また、同様の又は異なる情報を符号化した磁気ストリップをカード上に設けてもよい。
【００５３】
図４は、本発明のシステムの一実施形態を示している。図４に示すように、システム２００は、ファックス／音声サーバ２０２を含む。ファックス／音声サーバ２０２には、専用電話番号２０６を用いて、ファックス装置２０４又は電話機２０８によってアクセスすることができる。電話番号２０６は、フリーダイヤルであることが好ましく、これによって、システムのアクセス可能性及び利便性が高まり、これは、緊急の際に重要である。但し、電話番号２０６は、直通ダイヤル電話番号であってもよい。ファックス／音声サーバ２０２は、呼を受信すると、ステップ２１０において、この呼が音声通信であるか、ファックス通信であるかを判定する。呼が音声通信である場合、対話的音声応答（interactive voice response：ＩＶＲ）システムを用いて、発呼者、呼の目的又は他の情報を判定し、音声メールメッセージがあれば、これを音声ストレージ２１２に保存する。システムは、ステップ２１４において、電子メール通知によって、及び／又はステップ２１６において他のタイプの通知によって、音声メールメッセージがあったことを個人に通知するように適応化されている。他のタイプの通知は、以下に限定されるわけではないが、携帯電話機又はページャへのテキストメッセージを含む。このように、健康管理サービス提供業者は、ライフライン番号２０６に発呼し、個人のために音声メールメッセージを残すことができ、この通信は、プライベート通信である。このため、健康管理サービス提供業者は、プライベートな秘密の情報、例えば検査結果、新たな予約の必要性、又は他の情報等を残すことができる。個人は、音声メールメッセージが存在することを通知され、ファックス／音声サーバ２０２に発呼し、メッセージを確認することができる。
【００５４】
文書がファックス送信された場合、ファックス画像が収集され、ポータブルドキュメントフォーマット（portable document format：ＰＤＦ）文書２１８に変換される。本発明では、ＰＤＦフォーマットが好ましいが、本発明の特定の具体例において適切であれば、他のタイプの文書変換を行ってもよく、これらには、ＴＩＦＦ又は他のフォーマットが含まれる。ファックス送信された文書は、文書を送信するために用いられた専用電話番号２０６に基づき、ユーザアカウントに関係付けられ、ステップ２２０において、保存される。ステップ２２４では、文書が送信されたことを電子メールによって個人に通知する。これに代えて、ステップ２２２において、ファックスが送信されたことをテキストメッセージによって個人に通知してもよい。
【００５５】
本発明のウェブサイトは、健康管理記録を収集及び保存し、記録への安全なアクセスを提供する便利な場所を提供する。また、本発明のウェブサイトによって、健康記録へのオンラインアクセスのためのサービスに、容易に登録を行うことができる。図５Ａ及び図５Ｂは、登録プロセスの一実施形態を示している。図５Ａに示すように、ユーザ２５０は、医療記録ウェブサイトのホームページ２５２にアクセスする。ステップ２５４では、ユーザ２５０が既存のメンバであるかを判定する。ユーザが既存のメンバである場合、ステップ２５６において、図６を用いて後述するように、ユーザインタフェースへのアクセスをユーザに提供する。ユーザが既存のメンバではない場合、ステップ２５８において、ユーザ２５０がサービスに関する契約条件に同意したかを判定する。ユーザが同意しない場合、ステップ２６０において、ユーザの閲覧に謝意を示すと共に、手続の継続を拒否する。また、ステップ２６２において、ユーザには、契約条件をプリンタで印刷するオプションが与えられ、又は印刷が勧められ、これによって、ユーザは、契約条件を詳細に確認し、希望すれば、記録のコピーを維持することができる。ステップ２５８において、ユーザがサービスの契約条件に同意すると、システムは、ステップ２６４において、ユーザデータを収集する。ユーザデータ２６６は、姓、名、住所情報、都市、州、郵便番号、電話番号、電子メール／ページャ／モバイル機器情報、緊急連絡先名、緊急連絡先電話番号、プライマリケア担当医師電話番号、保険情報、アレルギー及び使用薬物及び／又は他の情報を含む。ステップ２６８において全てのフィールドを受け取ると、システムは、ステップ２７２において、ユーザ名及びパスワードを割り当てる。もちろん、ユーザが特定のユーザ名を要求し、及び／又は自らパスワードを設定してもよい。ユーザが自らパスワードを選択した場合、ステップ２７０において、パスワードがセキュリティ条件を満たしているかを判定する。例えば、最低限の文字列の長さを定めてもよく、少なくとも１つの数字が含まれることを要求してもよく、この他の要求があってもよい。ユーザが自らのユーザ名を選択できる場合、ステップ２７４において、ユーザ名データベースを検索し、ステップ２７６において、ユーザが選択したユーザ名が使用可能かを判定する。ユーザ名が使用可能である場合、ステップ２７８において、そのユーザが個人識別番号（personal identification number：ＰＩＮ）を生成することが許可される。ステップ２８０において、特定の桁数又は特定の最小桁数を要求する等の規則を適用する。ステップ２８２では、ＰＩＮを検証し、次に、登録プロセスは、ステップ２８４において、課金オプションに進む。図５Ｂのステップ２８６において、ユーザは、プランを選択することができる。ユーザは、プランオプション２８８から、例えば、個人プラン又は家族プランを選択することができる。ステップ２９０において、ユーザは、クレジットカード番号、請求先住所、ＣＶＶ番号を含むクレジットカード情報２９２を入力する。この情報は、支払いプロセッサ２９４に送信される。ステップ２９８では、クレジットカード情報が支払いの権限を有しているかを判定する。クレジットカード情報が支払いの権限を有していない場合、ステップ２９６において、再試行の回数が判定され、ステップ２９０において、ユーザは、クレジットカード情報を再入力できる。クレジットカード情報を検証する試行が既に２回行われている場合、ステップ３００において、ユーザに対し、今回は登録できないこと、及び後に再び試行する必要があることを通知する。ステップ２９８において、支払いが検証されると、ステップ３０２において、専用フリーダイヤル電話番号が割り当てられ、ユーザに関連付けられたＩＰアドレスが登録される。ステップ３０４では、ユーザアカウントを作成する。ステップ３０６では、登録を確認する電子メール通知をユーザに送信する。ステップ３０８では、ユーザは、例えば、自らの医師のデータベース、家族メンバ、カレンダ等、個人用のウェブサイトの設定を開始でき、又は他の手法で自らのウェブサイトを構成することができる。
【００５６】
カレンダを使用する場合、本発明では、マイクロソフトアウトルック（Microsoft Outlook）、ＰＤＡ又は他の個人情報マネージャに関連するカレンダプログラム等のアプリケーションとカレンダを同期させることができる。
【００５７】
登録後、ユーザは、図６に示すように、ウェブサイトのユーザインタフェースにアクセスできる。ユーザ２５０は、ホームページ２５２にアクセスできる。ステップ４００では、システムは、ユーザが使用しているＩＰアドレスがユーザに関連付けられているＩＰアドレスであるかを判定する。ＩＰアドレスが認識されない場合、ステップ４１４において、特別な安全対策が開始される。ステップ４１４では、ユーザ名及び二重レベルのパスワードログインを要求する。ログインが有効であれば、処理は、ステップ４２４に進む。ログインが無効であれば、ステップ４１８において、無効なログイン試行の回数を監視し、無効なログインが３回行われた場合、ステップ４２０において、アカウントを凍結する。ステップ４００において、ＩＰアドレスがユーザに関連付けられているＩＰアドレスとして認識された場合は、ステップ４０２において、ユーザ名及び単一のレベルのパスワードログインを要求する。ステップ４１２では、パスワードが有効であるか否かを判定する。パスワードが有効であれば、処理は、ステップ４２４に進む。パスワードが無効であれば、ステップ４０４において、無効の試行の回数を判定する。無効の試行が３回に達すると、ステップ４０６において、アカウントを凍結し、ステップ４０８において、ユーザに電子メールを送信し、ユーザは、ステップ４１０において、パスワードを変更し、アカウントを再開する手続を行うことができる。
【００５８】
ステップ４２４では、アカウントが個人に関連付けられているか、家族に関連付けられているかを判定する。アカウントが家族に関連付けられている場合、ユーザは、ステップ４２６において、家族メンバを選択し、家族データベース４２８にアクセスすることができる。ステップ４２４において、アカウントが家族アカウントではないと判定された場合、ユーザは、ステップ４３０において、メールボックスにアクセスし、新たなＰＤＦファイル及び音声ファイルを開くことができる。好ましくは、これらのファイルは、日時スタンプを含み、これによって、ユーザは、これらのファイルがいつ受信されたかを知ることができる。
【００５９】
ステップ４３２において、ユーザは、メッセージに件名を付し、ユーザにとって都合がよい手法でメッセージを特定することができる。ステップ４３４において、ユーザは、音声メールメッセージを再生することができる。ステップ４３６において、ユーザは、音声ストレージ４３８にメッセージを保存し、又はゴミ箱４４０にメッセージを送ることができる。ステップ４４２において、ユーザは、音声メールメッセージに関連付ける医師を選択することができる。この医師とは、例えば、音声メール又は画像文書の送信元である医師である。医師は、好ましくは、医師データベース４４４内に登録されている。医師が登録されていない場合、ステップ４６０において、ユーザは、この医師を含ませるようにデータベース４４４を更新することができる。そして、ユーザは、ユーザの好みに基づいて、音声メール又は文書を１つ以上のファイルフォルダに組織化する。ファイルフォルダの例としては、ＲＸ４４６、Ｘ線４４８、ＬＡＢＳ５０、検査ノート４５２、その他４５４等がある。ユーザは、例えばファイルフォルダ４５６等の新たなファイルフォルダを作成し、このファイルフォルダを適切に特定することができる。ユーザインタフェースは、フォルダ間のファイルの移動、ドラッグアンドドロップ、カットアンドペースト及び／又はユーザが記録を組織化する補助となる他の機能を含む機能４５８を提供する。
【００６０】
本発明では、各ファイルフォルダを１つ以上の追加的なパスワードによって保護することができる。このような保護は、多くのコンテキストにおいて特に有用である。例えば、複数のパスワードを用いることによって、医療記録以外に、保険情報、金融情報又は他の資産情報を保護することができる。
【００６１】
このセキュリティレベルの追加は、両親及び複数の子供からなる家族によって１つのアカウントを共有している場合等にも有用である。両親は、それぞれのフォルダを別個のパスワードで保護し、互いのフォルダにアクセスできないようにでき、子供のフォルダには、両親がアクセスできるようにしてもよい。
【００６２】
図７は、本発明の画面の一実施形態を示している。図７に示すように、画面５００は、上辺に沿ってメニューバー５０２を含み、メニューバー５０２には、異なるメニューアイテム、例えば、「ホーム」５０４、「私の医療記録（My Medical Records）」５０６．「マイカレンダー（My Calendar）」５０８、「処方箋管理（Manage Prescriptions）」５１０及び「私の医師（My Doctor）」５１２が表示されている。画面５００は、また、個人のライフライン（LIFELINE）フリーダイヤル専用電話番号５１４のためのリマインダを含む。メッセージセンター５１６は、最近のファックス、又は他の文書又は記録、音声メール、遠隔医療記録、診療予約、処方薬補充、又は他の関連するイベントに関する通知を含む。ユーザは、最近のファックス５１８を閲覧し、ファックス保存オプション５２０を用いて各ファックスをファイルでき、ファックス保存オプション５２０により、ユーザは、ファックスに文書タイトルを付し、ファックスに医師を関連付け、アカウントが家族アカウントである場合、特定のアカウントの下にファックスをファイルし、ファックスを処方箋、Ｘ線／画像、又は検査レポートとして特定することができる。送信されてくる他のタイプの文書、例えば、電子健康記録も、これらがファックスフォーマットであるか否かにかかわらず、同様の手法でファイルすることができる。
【００６３】
ここで、ユーザは、自ら文書をファックス送信する必要はない。これに代えて、ユーザは、様々なフォーマットでスキャンした文書又は他のファイルをアップロードできる。
【００６４】
また、通知は、医療デバイス又は個人的な健康監視デバイスの監視データから生成される新しい個人健康記録の使用可能性をユーザに知らせる遠隔医療通知を含むことができる。このようにして、ユーザは、監視データを閲覧し、監視データをファイルし、監視データを健康管理サービス提供業者に送信し、又は他の手法で監視データを管理することができる。
【００６５】
また、従来の診療予約に加えて、予約は、患者と健康管理サービス提供業者とが物理的に同席せず、テレビ会議システムを介して通信する遠隔医療の予約であってもよい。また、本発明では、テレビ会議システムからの音声又は映像を用いて、追加的な個人健康記録を生成することができる。
【００６６】
図８は、本発明の一実施形態に基づく画面の他の具体例を示している。図８に示す画面５５０は、ファイルセクション５５２を含み、ファイルセクション５５２には、情報を保存及び組織化するための異なるフォルダが示されている。これによって、ユーザは、適切な手法で記録を保存できる。一実施形態においては、フォルダは、検査レポート、処方箋、Ｘ線／画像、歯科記録、検査レポート、処方箋及び全ての記録についての個別のフォルダを含むことができる。図８に示すように、広告スペース５５４が設けられている。本発明では、ユーザが潜在的に関心を有する商材に関する広告を広告スペース５５４に表示することができる。広告情報は、サードパーティ又は広告主から得ることができる。更に、ウェブページのニュース情報部分５５６に、ニュース情報を表示してもよい。ニュース情報は、患者が受けている薬物治療に関する速報、健康及びフィットネスニュース、又はユーザが潜在的に関心を持ち又はユーザにとって重要である可能性があるニュースを含むことができる。また、遠隔医療フォルダ５５３も示されている。遠隔医療フォルダ５５３には、データを監視した医療用監視デバイスからの監視データを直接的に格納してもよい。更に、データポータルを介して４Ｍｅｄｉｃａ等のサービスによって受信したデータを適切なフォルダ（検査結果等）に格納してもよい。
【００６７】
図９は、本発明の一実施形態に基づく画面５６０の他の具体例である。画面５６０の上部の近傍には、「マイアカウント（ＭＹＡＣＣＯＵＮＴ）」オプション５１３が示されている。また、ユーザは、ドロップダウンリストボックス５１５を用いて、家族メンバを選択できる。また、記録アップロードオプション６０２が設けられており、これによって、ユーザは、自らのアカウントに様々なタイプのファイルを直接的にアップロードできる。複数のファイルを同時にアップロードすることもできる。
【００６８】
マイファイル（ＭＹ  ＦＩＬＥＳ）部分５５２には、緊急フォルダ５６２、Ｘ線／画像フォルダ５６４、遠隔医療５５３、ワクチン５６８、産科５７０、患者グラフ５７２、歯科５７４、ペット／獣医５７６、外科５７８、診察５８０、検査結果５８２、心臓科５８４、小児科５８６、泌尿器科５８８、重要文書５９０、電子保管庫（eSAFEDEPOSITBOX）５９２等を含む複数のファイルフォルダが示されている。ここに示す様々なファイルフォルダによって、ユーザは、自らのファイルを好適に組織化することができる。なお、各フォルダ上には、ファイルフォルダ内に幾つのファイルが保存されているかを示す数値が示されている。
【００６９】
新着情報（WHAT'S NEW）部分５９４により、ユーザは、新たな機能又は他の情報を知ることができる。家族パネル５９６には、家族に関連する情報又は情報へのリンクを表示できる。高齢者（SENIORS）パネル５９８には、高齢者に関連する情報又は情報へのリンクを表示できる。医師パネル６００には、医師に関連する情報又は情報へのリンクを表示できる。もちろん、本発明では、パネル５９６、５９８、６００を設けなくてもよく、ユーザが関心を持つ可能性がある他のタイプの情報を伝達するためにこれらを用いてもよい。
【００７０】
図１０は、本発明の一実施形態に基づく画面の他の具体例である。画面６１０では、フォルダ管理を行うことができる。フォルダ管理部分６１２は、複数のフォルダ（１６個を示している。）のリストを含み、列６１４には、各フォルダの現在のフォルダ名が示されており、列６１６には、各フォルダに割り当てられる新しいフォルダ名が示されている。実際の作業では、ユーザは、自らの特定の要求に応じて、フォルダ名を変更することができる。なお、少なくとも一部のフォルダには、パスワードが関連付けられている。これによって、これらのファイルのセキュリティのレベルが高められている。
【００７１】
図１１は、本発明の他の実施形態に基づく、ファイルアップロード機能を提供する画面である。画面６３０によって、医療記録６０２をアップロードすることができる。記録アップロードウィンドウ６３２により、ユーザは、ファイル指定ボックス６３６によってファイルの保存場所を検索することによって、アップロードするファイル６３４を選択できる。例えば、ユーザは、ｊｐｅｇ等のピクチャフォーマットで保存されている胸部Ｘ線写真をファイル指定ボックス６３６で検索し、ファイル６３４をファイル及びアップロードして、現在の医療記録のセットに追加し、又は医療記録を生成することができる。記録アップロードウィンドウ６３２によって、ユーザは、アップロードされたファイル６３４にファイル名６３８を付すことができる。更に、記録アップロードウィンドウ６３２により、ユーザは、アップロードしたファイル６３４を、ドロップダウンリスト６４０から選択された適切な医師に関連付けることができる。アカウントが家族アカウント又は共同型アカウントであり、複数の個人についての医療記録を保存できる場合、ユーザは、ドロップダウンメニュー６４２を用いて、この新たにアップロードされたファイル６３４を関連付ける家族メンバ６４２を選択することができる。また、記録アップロードウィンドウ６３２により、ユーザは、新たにアップロードされたファイル６３４に関連する日付６４４を記録することができる。最後に、ユーザが新たにアップロードされたファイル６３４のコピーを保存することを望む場合、ユーザは、コピー先となる個人のフォルダ６４６を選択するオプションを有する。例えば、ユーザは、Ｘ線／画像フォルダと、他のフォルダ、例えば、緊急フォルダ、検査レポート及び／又は外科フォルダとに胸部Ｘ線を保存することを望む場合がある。アップロード記録ウィンドウ６３２によって、ユーザは、重要な医療情報によって個人的な医療記録を定期的に更新し、その情報を適切なフォルダに関連付けることができる。また、アップロード記録ウィンドウ６３２により、ユーザは、便利で組織化された手法で、電子的な形式で医療ファイルを保存及び検索できる。
【００７２】
一実施形態においては、ウェブサイトにアクセスするためにパスワードが要求されることに加えて、このようなフォルダにアクセスするためにもパスワードが要求される。この機能は、多くの異なる状況で有益である。例えば、家族でアカウントを共有しながら夫婦間で一部のファイルを互いに秘密にすることもできる。また、緊急時には（又は緊急カードの不正使用によって）、ヘルスケア情報にアクセスできても、第２のレベルのパスワードによって保護されている最もプライベートな情報の安全性を維持することができる。図に示すように、第２のレベルのパスワード保護を実現するために、ボタン６１８、６２２、６２４、６２６が設けられている。
【００７３】
図１５は、収集された健康関連情報を用いて更なる利益をユーザに提供する一実施形態を示している。例えば、本発明に基づくシステム８００は、分析システム８５４に動作的に接続された個人健康記録データベース８５０と、薬物相互作用データベース８５２とを備えることができる。分析システム８５４は、薬物相互作用報告コンポーネント８５６に動作的に接続されている。個人健康記録８５０は、ユーザがどの処方薬を摂取しているかに関する情報を含む。薬物相互作用データベース８５２は、異なる薬物間の既知の相互作用に関する情報を含む。分析システム８５４は、ユーザが摂取している処方薬を分析し、ユーザに何らかの悪影響を及ぼす可能性がある既知の相互作用がないかを判定する。薬物相互作用報告コンポーネント８５６は、この分析の結果に基づき、ユーザ、ユーザを担当する薬剤師、医師又は他の健康管理サービス提供業者に結果を適宜報告する。本発明では、薬物相互作用報告コンポーネント８５６は、薬物相互作用報告に関するユーザの好み、判定された有害な薬物相互作用の深刻度又は確実性、又はこの他の要素に基づいて、個人毎に異なる手法で報告を行うことができる。また、本発明では、薬物相互作用の分析及び報告に加えて個人健康記録に関する他のタイプの分析及び報告を実行できる。本発明の利点の１つは、完全で最新の健康記録を構築及び維持する便利な方法を提供することによって、個人健康記録を様々な手法で分析できる点である。
【００７４】
図１６〜図２５は、ユーザに関連する個人健康記録への緊急時のアクセスを提供する本発明の一実施形態の様々な画面を示している。家族の各メンバに緊急パスワードを割り当てることができる。ユーザが緊急情報を伝えることができない危機的状況では、医師又は他の医療関係者は、通常のアカウントログイン用のパスワードとは異なる緊急パスワードを用いて、アカウント内の重要情報にアクセスすることができる。緊急パスワードは、好ましくは、アクセスされるウェブサイトの識別子及び緊急情報にアクセスするための指示と共にウォレットカードに含まれている。
【００７５】
緊急パスワード機能では、ユーザは、緊急パスワードが使用された際にどの情報をアクセス可能にするかを決定できる。ユーザは、緊急時においても、個人的な医療情報を制御できる。ユーザは、医師、初期対応者（first responder）又は他の医療関係者にアクセスを望む情報を予め決定することができる。この決定は、個人健康情報が組織化されているフォルダのうち、どのフォルダを示すかに関する決定を含むことができる。また、この決定は、医療履歴アイテム等、どのアイテムをアクセス可能にするかに関する決定を含むことができる。アイテムがアクセス不能である場合、ユーザのプライバシを最大限保護するために、アイテムの表示も行わないことが好ましい。
【００７６】
例えば、ユーザは、緊急パスワードを使用することによって、遠隔医療フォルダをアクセス可能にすることができる。したがって、医療デバイスに関連する監視データが収集され、遠隔医療フォルダ内に格納されると、健康管理サービス提供業者は、緊急ログインによって、このデータにアクセスできるようになる。
【００７７】
図１６は、緊急パスワードの入力ボックス９０２及び「編集」ボタン９０４を含む画面９００を示している。「編集」ボタン９０４をクリックすると、図１７の画面９０６が表示され、ユーザは、緊急パスワードを設定することができる。次に、図１８において、ユーザは、情報にアクセスするための緊急パスワードが使用されたときに表示するフォルダを選択できる。なお、フォルダは、「アクセス可」又は「アクセス不可」としてマークされる。
【００７８】
図１９は、医療履歴アイテムを示している。新しい医療履歴アイテムが追加されると、ユーザは、緊急時にその情報を表示するか否かを決定することができる。図２０は、緊急時に表示する医療履歴アイテムを特定する画面を示している。各アイテムの横のインジケータ、例えば、赤い十字記号９１０は、その医療履歴アイテムが緊急時に表示されることを示している。
【００７９】
図２１は、医師又は他の医療従事者が緊急時に緊急情報にアクセスするためのウェブサイトの画面９１２を示している。緊急ログインのための独立したボタン９１４が設けられている。緊急ログインボタン９１４は、緊急時に速やかに見つかるように、目立つように配置されている。
【００８０】
図２２は、緊急ログインが行われたときに基本的連絡先情報を収集する画面を示している。緊急パスワードは、情報収集プロセスの一部として検証される。本発明では、この基本情報を様々に用いることができる。この情報は、保存してもよく、これによって、ユーザは、誰がこの情報にアクセスしたかを記録することができる。更に、本発明では、電話、ページャ又は電子メール等によって、ユーザ又はユーザの緊急連絡先に緊急のログインがあったことを通知することができる。
【００８１】
図２３及び図２４は、緊急時に提供される最も有用な情報及び記録の具体例を示している。この画面から更に情報にアクセスすることもできる。また、図２３及び図２４の両方において、個人の写真９２０を表示してもよい。写真９２０を表示することによって、個人を識別できる人がいなくても、初期対応者又は他の緊急医療担当者は、緊急カードと個人を正しく照合することができる。
【００８２】
例えば、図２５は、アクセス可能な処方箋情報を示している。
【００８３】
図２６は、ユーザが緊急パスワード９２２を指定でき、及び写真又は他の画像ファイル９２４をアップロードすることができる画面の一部を示している。写真又は画像ファイルを指定する際にユーザを補助する検索ボタン９２６を設けてもよい。
【００８４】
このように、緊急パスワード機能を用いて、医師又は他の医療又はヘルスケア担当者は、完全な情報を直ちに確認することができる。更に、緊急パスワードによって、他者がアカウント情報を追加し、編集し、削除し、リファイルし、又は他の手法で変更することを禁止できる。このように、ユーザは、自らの個人健康記録を制御できる。更に、ユーザは、個人健康記録へのアクセスを制限し、アクセス可能な記録及びアクセス不能な記録を選択することによって、自らの個人健康記録に対する制御を維持することができる。
【００８５】
図２７は、他の実施形態を示している。図２７に示すシステム１４００は、監視デバイス１４０２を含む。監視デバイス１４０２は、様々な種類の生体情報（biometric information）を監視することができ、生体データを監視するための１つ以上のセンサを含むことができる。１つ以上のセンサは、以下に限定されるものではないが、体温センサ、心拍数センサ、血圧センサ、パルスオキシメータ、バイオセンサ、生理センサ、動きセンサ、カメラ又はイメージングセンサ、及び他の様々なタイプのセンサを含むことができる。監視デバイス１４０２は、インターネットに動作的に接続された医療デバイスゲートウェイ１４０４と動作的に通信を行う。例えば、ブルートゥース（BLUETOOTH(登録商標)）を用いて、無線監視デバイス１４０２を医療デバイスゲートウェイ１４０４に接続してもよく、医療デバイスゲートウェイ１４０４は、Ｗｉ−Ｆｉ又は他のタイプのネットワーク接続を介して、インターネットに動作的に接続してもよい。また、第１及び第２のビデオ会議デバイス１４０８をインターネット１４０６に動作的に接続してもよい。ビデオ会議デバイス１４０８は、ビデオ会議用に構成されたあらゆる種類の演算デバイスを含むことができ、例えば、カメラを有するコンピュータ、カメラを有するタブレットデバイス又はカメラを有する携帯電話を含むことができる。
【００８６】
また、サーバ１４１２をインターネットに動作的に接続して、上述した機能を実行してもよい。サーバ１４１２は、監視データを受信し、監視データ１４１４を含む個人健康記録を生成する。更に、サーバ１４１２は、テレビ会議システムに関連するビデオ画像及びこれに付随する音声を受信し、このビデオ画像及び／又は音声を含む個人健康記録を生成することができる。
【００８７】
図２８は、他の実施形態を示している。図２８に示すシステムは、センサ１４１８を有する監視デバイス１４０２を含む。センサ１４１８は、異なるタイプの幾つのセンサであってもよく、生理監視センサ、イメージングセンサ、音声センサ又は他のタイプのセンサであってもよい。監視デバイス１４０２は、１つ以上の異なるタイプのセンサを含むことができる。監視デバイス１４０２は、健康情報を監視することに特化した専用デバイスであってもよく、又は電話機又は他のデバイス等、他の機能を備えると共に、健康情報を監視するように構成されているデバイスであってもよい。監視デバイス１４０２は、直接的又は間接的にネットワーク１４２０と動作的に通信してもよく、ネットワーク１４２０は、インターネット又は他のタイプの通信ネットワークであってもよい。ネットワーク１４２０は、サーバ１４２２に動作的に接続されている。サーバ１４２２によって、監視デバイス１４０２から受信したデータから個人健康記録を生成することができる。更にサーバ１４２２は、監視デバイス１４０２のユーザ、ユーザに関連する健康管理サービス提供業者又はこれらの他から異なるタイプの健康記録を受信するように構成してもよい。
【００８８】
図２９は、方法の一具体例を示している。ステップ１５００において、監視デバイスから直接的又は間接的に監視データを受信する。ステップ１５０２において、監視データから個人健康記録を生成する。個人健康記録を生成するステップは、データのフォーマットを変更するステップを含んでいてもよく、データを異なるフォーマット、例えば、人間が読むことができるフォーマットにしてもよく、又はデータに関連する個人の氏名又は識別子、データのタイプ、データの日付、データが収集された位置の情報、又は他の情報等の追加的情報をデータに加えてもよい。ステップ１５０４では、サーバにおいて、コンピュータ読取可能な媒体に個人健康記録を保存する。ステップ１５０６では、個人健康記録へのアクセスを提供する。ステップ１５０８では、個人健康記録にアクセスし及び／又は個人健康記録を管理するためのユーザインタフェースを提供する。
【００８９】
本発明は、ここに説明した特定の開示によっては限定されない。異なる実施形態について説明したが、本発明は、これらの実施形態に限定されない。本発明は、特定のコンテキスト、環境又は状況に応じた多くの変形例を含む。
【図１】
2015507282.tif 000003
【図２】
2015507282.tif 000004
【図３Ａ】
2015507282.tif 000005
【図３Ｂ】
2015507282.tif 000006
【図４】
2015507282.tif 000007
【図５Ａ】
2015507282.tif 000008
【図５Ｂ】
2015507282.tif 000009
【図６】
2015507282.tif 000010
【図７】
2015507282.tif 000011
【図８】
2015507282.tif 000012
【図９】
2015507282.tif 000013
【図１０】
2015507282.tif 000014
【図１１】
2015507282.tif 000015
【図１２】
2015507282.tif 000016
【図１３】
2015507282.tif 000017
【図１４】
2015507282.tif 000018
【図１５】
2015507282.tif 000019
【図１６】
2015507282.tif 000020
【図１７】
2015507282.tif 000021
【図１８】
2015507282.tif 000022
【図１９】
2015507282.tif 000023
【図２０】
2015507282.tif 000024
【図２１】
2015507282.tif 000025
【図２２】
2015507282.tif 000026
【図２３】
2015507282.tif 000027
【図２４】
2015507282.tif 000028
【図２５】
2015507282.tif 000029
【図２６】
2015507282.tif 000030
【図２７】
2015507282.tif 000031
【図２８】
2015507282.tif 000032
【図２９】
2015507282.tif 000033
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
個人健康記録を収集し、管理する能力を患者に提供する方法において、
患者監視デバイスから、ネットワークを介して、前記患者に関連する監視データを受信するステップと、
前記監視データから個人健康記録を生成するステップと、
サーバにおいて、コンピュータ読取可能媒体に前記個人健康記録を保存するステップと、
前記患者に関連付けられたユーザアカウントによって、インターネットを介して、前記個人健康記録へのアクセスを前記患者に提供するステップと、
前記ユーザアカウントに関連し、健康管理サービス提供業者による前記個人健康記録に前記患者が選択的にアクセスできるようにするユーザインタフェースを提供するステップと、
を有する方法。
【請求項２】
前記患者監視デバイスは、医療デバイスゲートウェイと動作的に通信する請求項１記載の方法。
【請求項３】
前記個人健康記録は、前記ユーザアカウントに関連付けられたフォルダ内に格納される請求項１記載の方法。
【請求項４】
前記ユーザアカウントには、アカウント識別子及び第１のパスワードが関連付けられている請求項３記載の方法。
【請求項５】
前記フォルダは、前記健康管理サービス提供業者が前記ユーザアカウントへの第２のパスワードによって前記ユーザアカウントにアクセスすることによって利用される請求項４記載の方法。
【請求項６】
前記第２のパスワードは、緊急パスワードである請求項５記載の方法。
【請求項７】
前記フォルダは、遠隔医療フォルダである請求項５記載の方法。
【請求項８】
前記個人健康記録の存在を前記ユーザに通知するステップを更に有する請求項１記載の方法。
【請求項９】
前記監視データは、音声データを含む請求項１記載の方法。
【請求項１０】
前記監視データは、ビデオデータを含む請求項１記載の方法。
【請求項１１】
個人健康記録を収集し、管理する能力を患者に提供する方法において、
患者監視デバイスから、ネットワークを介して、前記患者に関連する監視データを受信するステップと、
前記監視データから個人健康記録を生成するステップと、
サーバにおいて、前記個人健康記録をコンピュータ読取可能媒体に保存するステップと、
前記患者に関連付けられたユーザアカウントによって、インターネットを介して、前記個人健康記録へのアクセスを前記患者に提供するステップと、
前記ユーザアカウントに関連付けられたウェブベースのユーザインタフェースを提供するステップと、を有し、前記ユーザアカウントに関連付けられたウェブベースのユーザインタフェースは、（ａ）前記個人健康記録へのアクセス、（ｂ）前記患者に関連付けられた健康管理サービス提供業者から前記ユーザアカウントへの追加的健康記録の受信、（ｃ）前記患者に関連付けられた健康管理サービス提供業者からユーザアカウントに送られた追加的健康記録へのアクセス、及び（ｄ）前記健康管理サービス提供業者への前記個人健康記録及び前記追加的健康記録の１つ以上の送信を提供する方法。
【請求項１２】
前記健康監視デバイスは、医療デバイスゲートウェイと動作的に通信する請求項１１記載の方法。
【請求項１３】
前記個人健康記録は、前記ユーザアカウントに関連付けられたフォルダ内に格納される請求項１１記載の方法。
【請求項１４】
前記ユーザアカウントには、アカウント識別子及び第１のパスワードが関連付けられている請求項１３記載の方法。
【請求項１５】
前記フォルダは、前記健康管理サービス提供業者が前記ユーザアカウントへの第２のパスワードによって前記ユーザアカウントにアクセスすることによって利用される請求項１４記載の方法。
【請求項１６】
前記第２のパスワードは、緊急パスワードである請求項１５記載の方法。
【請求項１７】
前記フォルダは、遠隔医療フォルダである請求項１５記載の方法。
【請求項１８】
前記個人健康記録の存在を前記患者に通知するステップを更に有する請求項１１記載の方法。
【請求項１９】
前記監視データは、音声データを含む請求項１１記載の方法。
【請求項２０】
前記監視データは、ビデオデータを含む請求項１１記載の方法。
【国際調査報告】
2015507282.tif 000034
2015507282.tif 000035